(57)【特許請求の範囲】
【請求項１】
建物に設置された複数の電気機器と、前記複数の電気機器のそれぞれと通信する管理装置と、前記複数の電気機器のそれぞれおよび前記管理装置と通信する操作端末とを備える電気機器管理システムであって、
前記操作端末は、前記複数の電気機器のそれぞれに個別に割り当てられる管理アドレス情報を、指向性を有する無線を用いて、前記複数の電気機器のそれぞれに個別に送信し、
前記複数の電気機器のそれぞれは、自身の固有アドレスを有し、前記操作端末から送信された前記管理アドレス情報を記憶し、かつ、前記固有アドレスおよび前記管理アドレス情報を前記管理装置に送信し、
前記管理装置は、前記複数の電気機器のそれぞれから送信された前記固有アドレスおよび前記管理アドレス情報を対応づけて記憶し、記憶した前記固有アドレスおよび前記管理アドレス情報に基づいて、前記複数の電気機器の動作を制御し、かつ、前記複数の電気機器の全ての前記固有アドレスおよび前記管理アドレスを取得した後、前記操作端末に前記管理アドレス情報に対応する前記固有アドレスを送信する
電気機器管理システム。
【請求項２】
前記操作端末は、前記管理装置と通信することで、前記管理アドレス情報に対応する前記固有アドレスを取得する
請求項１に記載の電気機器管理システム。
【請求項３】
前記管理アドレス情報は、前記複数の電気機器のそれぞれを区別するための管理アドレス、前記建物における前記複数の電気機器のそれぞれの位置、および、前記複数の電気機器のそれぞれが所属するグループに関する情報を含む
請求項１または２に記載の電気機器管理システム。
【請求項４】
前記操作端末は、前記管理アドレス情報を赤外線を用いて送信し、前記複数の電気機器のそれぞれは、前記赤外線を用いて送信された前記管理アドレス情報を受信する
請求項１〜３のいずれか１項に記載の電気機器管理システム。
【請求項５】
前記指向性を有する無線は、赤外線であり、
前記複数の電気機器のそれぞれは、前記赤外線を用いて送信された前記管理アドレス情報を受信する赤外線受信部を有する
請求項１〜４のいずれか１項に記載の電気機器管理システム。
【請求項６】
前記複数の電気機器の少なくとも一部は、照明機器である
請求項１〜５のいずれか１項に記載の電気機器管理システム。
【発明の詳細な説明】
【技術分野】
【０００１】
本発明は、複数の電気機器を管理するための電気機器管理システムに関する。
【背景技術】
【０００２】
従来、電気機器管理システムの一例として、複数の照明機器を管理するための照明機器管理システムが知られている（特許文献１参照）。この照明機器管理システムにおいては、複数の照明機器を個別に管理して制御するために、複数の照明機器のそれぞれにアドレスが付与される。
【先行技術文献】
【特許文献】
【０００３】
【特許文献１】特開２０１４−５６７２３号公報
【発明の概要】
【発明が解決しようとする課題】
【０００４】
照明機器は、通常は工場出荷時に固有のアドレスをそれぞれ付与されているが、各照明機器が建物の造営材（天井など）に設置された時点では、各照明機器と固有アドレスとの対応関係、すなわち、どの照明機器がどんな固有アドレスを有しているかが不明な場合が多い。
【０００５】
そこで、各照明機器を建物に設置した後、照明機器が所有している固有アドレスと、照明機器の座標上の位置を対応づける作業が、施工業者にて行われる。例えば、施工業者は、タブレット端末を用いて画面上に表示されている所定のアドレスを選択し、選択したアドレスに対応する照明機器に無線信号を送り、その照明機器を明暗（点滅）させることで、選択したアドレスと照明機器との対応関係を知ることができる。
【０００６】
しかしながら、建物に設置されている照明機器の台数が多い場合（例えば１００台以上ある場合）は、遠くに位置する照明機器もあるため、施工業者は、選択したアドレスに対応する照明機器が、建物の中のどの座標（位置）にあるかをすぐに把握することが困難である。場合によっては、どの照明機器が明暗しているのかを確認するため、建物の端から端まで何度も往復することが起き、多大な労力が発生する。
【０００７】
この問題は、照明機器に限られず、表示機器や音響機器などの電気機器においても同様である。
【０００８】
そこで、本発明は、複数の電気機器のアドレスを把握し、複数の電気機器のアドレス管理を容易に行うことのできる電気機器管理システムを提供する。
【課題を解決するための手段】
【０００９】
本発明の電気機器管理システムの一態様は、建物に設置された複数の電気機器と、前記複数の電気機器のそれぞれと通信する管理装置と、前記複数の電気機器のそれぞれおよび前記管理装置と通信する操作端末とを備える電気機器管理システムであって、前記操作端末は、前記複数の電気機器のそれぞれに個別に割り当てられる管理アドレス情報を、指向性を有する無線を用いて、前記複数の電気機器のそれぞれに個別に送信し、前記複数の電気機器のそれぞれは、自身の固有アドレスを有し、前記操作端末から送信された前記管理アドレス情報を記憶し、かつ、前記固有アドレスおよび前記管理アドレス情報を前記管理装置に送信し、前記管理装置は、前記複数の電気機器のそれぞれから送信された前記固有アドレスおよび前記管理アドレス情報を対応づけて記憶し、記憶した前記固有アドレスおよび前記管理アドレス情報に基づいて、前記複数の電気機器の動作を制御し、かつ、前記複数の電気機器の全ての前記固有アドレスおよび前記管理アドレスを取得した後、前記操作端末に前記管理アドレス情報に対応する前記固有アドレスを送信する。
【発明の効果】
【００１０】
複数の電気機器のアドレス管理を容易に行うことができる。
【図面の簡単な説明】
【００１１】
【図１】実施の形態１に係る電気機器管理システムであって、電気機器管理システムが備える照明機器、操作端末および管理装置を示す概略図である。
【図２】操作端末の制御構成を示すブロック図である。
【図３】照明機器の制御構成を示すブロック図である。
【図４】管理装置の制御構成を示すブロック図である。
【図５】操作端末の表示部および操作部の一例を示す図である。
【図６】操作端末の制御部に保存されるアドレスの管理表であって、照明機器の固有アドレスが書き込まれていな状態を示す図である。
【図７】建物内における照明機器の位置、および、照明機器の制御部に書き込まれるアドレス情報を示す図である。
【図８】操作端末、照明機器および管理装置のアドレス設定を説明するフローチャートである。
【図９】管理装置の制御部に保存されるアドレスの管理表を示す図である。
【図１０】管理装置の制御部に含まれるアドレス情報と操作スイッチの関係を示す図である。
【図１１】操作端末および管理装置のアドレス設定を説明するフローチャートである。
【図１２】実施の形態２に係る電気機器管理システムの操作端末および照明機器のアドレス設定を説明するフローチャートである。
【図１３】実施の形態２に係る電気機器管理システムの操作端末および管理装置のアドレス設定を説明するフローチャートである。
【発明を実施するための形態】
【００１２】
以下、実施の形態に係る電気機器管理システムについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化する。
【００１４】
（実施の形態１）
＜電気機器管理システムの構成＞
図１は、実施の形態１に係る電気機器管理システム１００を示す図である。電気機器管理システム１００は、複数の電気機器１０と、操作端末２０と、管理装置３０とを備える。
【００１５】
電気機器１０としては、例えば、照明機器、表示機器（モニター）または音響機器（スピーカ）などが挙げられるが、本実施の形態では、複数の電気機器１０として、複数の照明機器１０ａ、１０ｂ、１０ｃ、１０ｄを例に挙げて説明する。
【００１６】
なお、図１では、一例として４台の照明機器１０ａ〜１０ｄが示されているが、実際は、建物の天井などに１００台以上の照明機器が設置されることがある。そのため、従来では、建物内での照明機器の位置と、照明機器のアドレスを対応づける作業が困難であり、照明機器の管理をするためのアドレス設定に労力を有している。本実施の形態に係る電気機器管理システム１００では、以下に示す構成をとることにより、複数の膨大な数にわたる照明機器の管理を容易に行うことができる。
【００１７】
まず、図１を参照しながら、電気機器管理システム１００を構成する複数の照明機器１０ａ〜１０ｄ、操作端末２０および管理装置３０の通信系統について説明する。
【００１８】
複数の照明機器１０ａ〜１０ｄのそれぞれと、管理装置３０とは、無線ｒ２により通信可能となっている。無線ｒ２による通信方式としては、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。なお、無線通信範囲内の照明機器１０ａ〜１０ｄの間でメッシュネットワークを形成し、このメッシュネットワークを経由して無線通信するようにしてもよい。また、照明機器１０ａ〜１０ｄ、および、管理装置３０が有線ネットワークを形成し、互いに通信可能であってもよい。
【００１９】
複数の照明機器１０ａ〜１０ｄのそれぞれと、操作端末２０とは、赤外線通信ｉｃにより通信可能となっている。具体的には、操作端末２０は、指向性を有する無線通信の一例である赤外線通信ｉｃを用いて照明機器１０ａ〜１０ｄに信号を送信する。照明機器１０ａ〜１０ｄは、操作端末２０からの赤外線信号を個別に受信することができるように、例えば、５ｍほど間隔をあけて天井に設置されている。図１に示されるように、照明機器１０ａの近くに操作端末２０を位置させ、照明機器１０ａに向けて赤外線通信ｉｃで信号を送ることで、対象とする照明機器１０ａのみに情報を伝達することができる。なお、本実施の形態では、赤外線通信ｉｃに限られず、レーザ光またはＮＦＣ（Near Field Communication）など１対１で対応をとることが可能な無線を用いて、照明機器１０ａ〜１０ｄに対して個別に信号を送信してもよい。
【００２０】
また、操作端末２０は、赤外線通信ｉｃを用いて照明機器１０ａ〜１０ｄに個別に信号を送信する以外に、無線ｒ１を用いて複数の照明機器１０ａ〜１０ｄと通信できるように構成されている。無線ｒ１による通信方式としては、無線ｒ２と同様の方式が用いられる。
【００２１】
また、操作端末２０と管理装置３０とは、無線ｒ３により通信可能となっている。無線ｒ３による通信方式としては、無線ｒ２と同様の方式が用いられる。なお、操作端末２０と管理装置３０は、ＵＳＢなどの接続端子により有線で通信できるようになっていてもよい。
【００２２】
以下、電気機器管理システム１００の一例である、照明機器管理システムを構成する照明機器１０ａ〜１０ｄ、操作端末２０および管理装置３０についてそれぞれ説明する。
【００２３】
＜操作端末＞
図２は、操作端末２０の制御構成を示すブロック図である。図５は、操作端末２０の表示部２２および操作部２１の一例を示す図である。図６は、操作端末２０の制御部２３に保存されるアドレスの管理表２３ａである。
【００２４】
操作端末２０は、例えば、タブレット端末やスマートフォンである。本実施の形態における操作端末２０は、アドレス管理を行うために必要なアドレスを設定するための設定器として用いられる。操作端末２０は、図２に示されるように、制御部２３、赤外線送信部２５、表示部２２、操作部２１および通信部２４を備えている。
【００２５】
制御部２３は、ＣＰＵ（central processing unit）、ＲＡＭ（Random Access Memory）およびＲＯＭ（read only memory）などにより構成され、表示部２２、操作部２１、赤外線送信部２５および通信部２４を制御する。制御部２３では、アドレス設定を行うにあたり、情報の読み出しや書き込みが行われる。
【００２６】
アドレス設定が完了した際には、制御部２３には、照明機器１０ａ〜１０ｄを管理するための管理アドレス情報、および、照明機器１０ａ〜１０ｄのそれぞれが元々所有している固有アドレスなどが保存される。
【００２７】
管理アドレス情報は、図６の管理表２３ａに示されるように、管理アドレス（数字またはアルファベット）、照明機器１０ａ〜１０ｄの位置、および、グループなどの情報を含む。管理アドレス情報のうちの管理アドレス０１〜０４は、照明機器１０ａ〜１０ｄのそれぞれを区別するためにユーザが設定する管理用のアドレスである。照明機器１０ａ〜１０ｄの位置は、建物を上から見た場合の照明機器１０ａ〜１０ｄのそれぞれの位置（Ｘ座標、Ｙ座標）を示している。グループは、照明機器１０ａ〜１０ｄのそれぞれの所属を示し、グループごとに照明機器１０ａ〜１０ｄを調光または調色させるための動作グループである。
【００２８】
なお、照明機器１０ａ〜１０ｄを建物に設置した直後の段階、すなわち、アドレス設定前の段階では、管理表２３ａには、管理アドレス情報は書き込まれているが、照明機器１０ａ〜１０ｄの固有アドレスは書き込まれていない。管理表２３ａの中に固有アドレスを書き込み、管理アドレスと固有アドレスとの対応づけをする過程については後述する。
【００２９】
赤外線送信部２５は、例えば、赤外線ＬＥＤなどの発信器であり、赤外線通信ｉｃを用いて照明機器１０ａ〜１０ｄに管理アドレス情報を送信する。この赤外線通信ｉｃは、操作端末２０から照明機器１０ａ〜１０ｄへの一方向通信である。赤外線通信ｉｃは、指向性を有する通信方式であるので、例えば、対象となる照明機器１０ａに向けて情報を送信すれば、対象となる照明機器１０ａのみに必要な情報を伝達することができる。なお、本実施の形態では、操作端末２０に内蔵された赤外線送信部２５を用いて通信しているが、それに限られず、操作端末２０に接続された外付けの赤外線発信器により通信を行っても、実質的に、操作端末２０を用いて赤外線通信ｉｃを行っていることになる。
【００３０】
表示部２２は、例えば、液晶モニターであり、照明機器１０ａ〜１０ｄを含む建物内のレイアウト、照明機器１０ａ〜１０ｄのアドレスに関する情報、または、照明機器１０ａ〜１０ｄの動作状況等を表示する部分である。アドレス設定を行うにあたり、表示部２２には、図５に示されるように、建物の入口、窓、および、４つのアイコン０１、０２、０３、０４が表示されている。表示部２２内におけるアイコン０１〜０４の位置は、実際の建物内に設置されている照明機器１０ａ〜１０ｄの位置に対応するように配置されている。
【００３１】
操作部２１は、例えば、表示部２２と兼用されるタッチパネルである。この操作部２１を操作することで、制御部２３への管理アドレス情報の入力や、照明機器１０ａ〜１０ｄおよび管理装置３０との通信を開始することができる。
【００３２】
図５に示すアイコン０１〜０４は、操作ボタンを兼ねており、操作端末２０の使用者がアイコン０１〜０４に触れることで所定の操作を行うことができる。本実施の形態では、アイコン０１〜０４と制御部２３に保存されている管理アドレス情報とが対応づけられている。そして、使用者が所定のアイコンに触れることで、所定の管理アドレス情報を読み出し、外部に送信できるようになっている。例えば、アイコン０１には、管理アドレス０１に関する管理アドレス情報（図６参照）が対応づけられている。そして、操作端末２０の使用者が、操作端末２０を照明機器１０ａに向け、アイコン０１に触れると、管理アドレス０１に関する管理アドレス情報が、赤外線通信ｉｃにより照明機器１０ａのみに送信される。
【００３３】
通信部２４は、アンテナおよび無線モジュールなどにより構成されている。通信部２４は、無線ｒ３を用いて管理装置３０と通信可能になっており、管理装置３０に集約された管理アドレス情報および固有アドレスに関する情報を、無線ｒ３を用いて受信する。これにより、管理装置３０と操作端末２０とでアドレスに関する情報を共有することができる。
【００３４】
＜照明機器＞
照明機器１０ａ〜１０ｄは、例えば、ＬＥＤライトであり、住宅等の建物の造営材（天井など）に設置される。本実施の形態では、図７の（ａ）に示されるように、建物５０の入口から窓の方向（Ｙ方向）に並んで、４台の照明機器１０ａ〜１０ｄが配置されている。なお、照明機器１０ａ〜１０ｄは、ＬＥＤライトに限られず、シーリングライトであってもよい。
【００３５】
図３は、照明機器１０ａ〜１０ｄの制御構成を示すブロック図である。
【００３６】
照明機器１０ａ〜１０ｄは、光源１４、制御部１３、赤外線受信部１２および通信部１１を備えている。
【００３７】
光源１４は、例えば、白色光、赤色光、緑色光または青色光を発する複数の発光ダイオードを含んでいる。光源１４は、管理装置３０から指令を受けた制御部１３により調光制御および／または調色制御される。なお、アドレス設定中は、周囲から見てアドレス設定中であることがわかるように、明暗（点滅）制御される。
【００３８】
制御部１３は、ＣＰＵ、ＲＡＭおよびＲＯＭなどにより構成され、光源１４の作動状態を制御する。制御部１３では、アドレス設定を行うにあたり、情報の読み出しや書き込みが行われる。
【００３９】
制御部１３には、自身の固有アドレスが保存されている。固有アドレスは、例えば、ＭＡＣアドレス（Media Access Control address）、または、ＵＤＩＤ（Unique Device IDentifier）などである。照明機器１０ａ〜１０ｄを建物に設置した直後の段階、すなわち、アドレス設定前の段階では、制御部１３は、自身の固有アドレスを所有しているが、管理アドレス情報を所有していない。制御部１３には、操作端末２０から赤外線通信ｉｃを用いて管理アドレス情報が送信されたときに、照明機器１０ａ〜１０ｄを管理するための管理アドレス情報が保存される。
【００４０】
赤外線受信部１２は、例えば、赤外線センサーであり、操作端末２０から赤外線通信ｉｃで送信された管理アドレス情報を受信する。赤外線通信ｉｃを用いることで、操作端末２０から個別に、管理アドレス情報を取得することができる。
【００４１】
通信部１１は、アンテナおよび無線モジュールなどにより構成されている。通信部１１は、管理装置３０と通信可能になっており、制御部１３に保存された管理アドレス情報および固有アドレスを、無線ｒ２を用いて管理装置３０に送信する。
【００４２】
また、通信部１１は、無線ｒ１により操作端末２０と通信可能となっている。照明機器１０ａ〜１０ｄは、操作端末２０からの赤外線通信ｉｃで管理アドレス情報を受け取ったことを知らせるため、この無線ｒ１を用いて操作端末２０に受理信号を送ってもよい。
【００４３】
＜管理装置＞
管理装置３０は、照明機器１０ａ〜１０ｄの動作制御を行うための管理サーバである。管理装置３０は、図１に示されるように、装置本体３０ａと、装置本体３０ａにケーブルで接続されたアンテナ３０ｂとを有している。アンテナ３０ｂは、照明機器の台数に応じて、建物５０内に複数設けられていてもよい。
【００４４】
管理装置３０は、図４に示されるように、制御部３３、第１通信部３４、第２通信部３５および操作スイッチ３１を備えている。制御部３３は、装置本体３０ａに内蔵されており、第１通信部３４および第２通信部３５は、アンテナ３０ｂに内蔵されている。操作スイッチ３１は、装置本体３０ａの外部であって、ユーザの手の届きやすい建物５０の壁などに設置される。
【００４５】
制御部３３は、ＣＰＵ、ＲＡＭおよびＲＯＭなどにより構成され、照明機器１０ａ〜１０ｄの動作を制御する。制御部３３では、アドレス設定を行うにあたり、情報の読み出しや書き込みが行われる。
【００４６】
制御部３３は、照明機器１０ａ〜１０ｄを建物５０に設置した直後の段階、すなわち、アドレス設定前の段階では、各照明機器１０ａ〜１０ｄの管理アドレス情報および固有アドレスを所有していない。制御部３３には、アドレス設定を開始し、照明機器１０ａ〜１０ｄのそれぞれから管理アドレス情報および固有アドレスが送信されたときに、これらの情報が保存される。その際、管理アドレス情報および固有アドレスは、図９の管理表３３ａに示されるように、互いに対応づけられた状態で保存される。これにより、管理装置３０は、この管理アドレス情報および固有アドレスに基づいて、照明機器１０ａ〜１０ｄの動作を制御することができるようになる。
【００４７】
第１通信部３４は、照明機器１０ａ〜１０ｄと無線ｒ２で通信する部分である。この第１通信部３４を用いて、照明機器１０ａ〜１０ｄから固有アドレスおよび管理アドレスを受信する。
【００４８】
また、第２通信部３５は、操作端末２０と無線ｒ３で通信する部分である。この第２通信部３５を用いて、管理アドレス情報に対応する固有アドレスを操作端末２０に送信する。
【００４９】
操作スイッチ３１は、照明機器１０ａ〜１０ｄを操作するスイッチであり、制御部３３と有線または無線で繋がっている。ユーザが操作スイッチ３１を操作することで、制御部３３は、操作スイッチ３１に対応する動作を照明機器１０ａ〜１０ｄに実行させる。
【００５０】
＜アドレス設定＞
次に、アドレス設定の具体的な方法について説明する。
【００５１】
図７は、建物内における照明機器１０ａ〜１０ｄの位置、および、照明機器１０ａ〜１０ｄの制御部１３に書き込まれるアドレス情報を示す図である。
【００５２】
照明機器１０ａ〜１０ｄは、図７の（ａ）に示されるように、建物５０の入口から窓の方向に並んで配置されている。照明機器１０ａ〜１０ｄは、固有アドレスをそれぞれ所有している。例えば、照明機器１０ａは、固有アドレス「ａａａａ」を所有している。
【００５３】
図７の（ａ）は、アドレス設定前の段階であり、照明機器１０ａ〜１０ｄには、前述した管理アドレス情報がまだ記憶されていない。そのため、管理装置３０は、照明機器１０ａ〜１０ｄのそれぞれの位置およびグループを把握しておらず、この段階では、照明機器１０ａ〜１０ｄの動作を制御することができない。そこで、管理アドレス情報と固有アドレスとを対応づけし、照明機器１０ａ〜１０ｄの位置およびグループを把握してアドレス管理を行うため、以下に示すアドレス設定を行う。
【００５４】
先に、アドレス設定を行うべき照明機器１０ａ〜１０ｄに対し、管理装置３０から所定の信号を送信し、照明機器１０ａ〜１０ｄをアドレス設定可能な状態とする。そして、操作端末２０を用いてアドレス設定を開始する。なお、操作端末２０の表示部２２には、図５に示されるように、建物５０内のレイアウトが表示されている。表示部２２内のアイコン０１〜０４は、建物５０内の照明機器１０ａ〜１０ｄの位置に対応して配置されている。
【００５５】
図８は、操作端末２０、照明機器１０ａ〜１０ｄおよび管理装置３０のアドレス設定を説明するフローチャートである。
【００５６】
まず、図７の（ｂ）に示されるように、操作端末２０を照明機器１０ａの近く（座標でＸ＝５ｍ、Ｙ＝５ｍの近く）に位置させる。そして、操作端末２０のアイコン０１に触れることで、アイコン０１に関する管理アドレス情報を、赤外線通信ｉｃで照明機器１０ａに送信する（Ｓ１１）。
【００５７】
照明機器１０ａは、送信された管理アドレス情報を受信する。照明機器１０ａの制御部１３には、図７の（ｂ）に示されるように、固有アドレス「ａａａａ」に対応して、管理アドレス「０１」、グループ「Ａ」という情報が記憶される（Ｓ１２）。これにより、制御部１３は、自身の管理アドレスが「０１」でグループが「Ａ」であることを認識する。なお、制御部１３には、自身の照明機器１０ａの位置「Ｘ＝５、Ｙ＝５」に関する情報も同時に記憶される。
【００５８】
管理アドレス情報を受信した照明機器１０ａは、無線ｒ２を用いて管理アドレス情報と自身の固有アドレスを管理装置３０に送信する（Ｓ１３）。
【００５９】
管理装置３０は、送信された管理アドレス情報と照明機器１０ａの固有アドレスを受信し、制御部３３に記憶する（Ｓ１４）。これにより、管理装置３０において、管理アドレス０１に関する管理アドレス情報と照明機器１０ａの固有アドレスとが対応づけられる。
【００６０】
そして、これらのステップＳ１１〜Ｓ１４を、アドレス未設定の照明機器１０ｂ〜１０ｄに対して個別に実行する。これらの過程により、図７の（ｃ）に示されるように、照明機器１０ａ〜１０ｄに管理アドレス情報がそれぞれ記憶される。
【００６１】
また、管理装置３０においては、管理アドレス０１〜０４に関する管理アドレス情報と照明機器１０ａ〜１０ｄの固有アドレスとがそれぞれ対応づけられ、図９に示す管理表３３ａとなって整理される。これにより、管理装置３０は、管理アドレス情報および固有アドレスを基に、照明機器１０ａ〜１０ｄの動作を制御することが可能になる。
【００６２】
例えば、図１０に示されるように、操作スイッチ３１の入口側スイッチを管理アドレス０１、０２のグループＡに、窓側スイッチを管理アドレス０３、０４のグループＢに割り当てる。これにより、入口側スイッチをオン／オフすることで照明機器１０ａ、１０ｂを同時に点灯／消灯し、窓側スイッチをオン／オフすることで、照明機器１０ｃ、１０ｄを同時に点灯／消灯することができる。
【００６３】
このように、この管理システムでは、操作端末２０を持った使用者が、照明機器１０ａ〜１０ｄのそばを順に移動しながら１台ずつアドレス設定を行えばよいので、容易にまた確実に、照明機器１０ａ〜１０ｄに管理アドレス情報を付与し、管理装置３０に管理アドレス情報および固有アドレスを記憶させることができる。これにより、照明機器１０ａ〜１０ｄの管理を容易に行うことができる。
【００６４】
次に、管理装置３０と操作端末２０との間において、管理アドレス情報および固有アドレスを共有する方法について説明する。
【００６５】
図１１は、操作端末２０および管理装置３０のアドレス設定を説明するフローチャートである。
【００６６】
まず、管理装置３０に無線ｒ３がとどく距離に、操作端末２０を移動させる。そして、操作端末２０から管理装置３０に対して、操作端末２０が把握している管理アドレス情報に対応する固有アドレスを送るように要求する（Ｓ２１）。
【００６７】
固有アドレスを要求された管理装置３０は、制御部３３から対応する固有アドレスを読み出し、操作端末２０に送信する（Ｓ２２）。
【００６８】
操作端末２０は、送信された固有アドレスを受信し、制御部２３に記憶する（Ｓ２３）。これらの過程により、操作端末２０においても、図９と同様な管理表が記憶される。
【００６９】
また、操作端末２０における表示部２２では、アイコン０１〜０４と管理アドレス０１〜０４に関する管理アドレス情報とが対応づけて表示される。これにより、表示部２２において、照明機器１０ａ〜１０ｄの管理アドレス、位置、グループおよび固有アドレスが整理された状態で視覚化（マッピング）される。その結果、操作端末２０の表示部２２にて、照明機器１０ａ〜１０ｄの動作状態を確認したり、操作部２１にて、照明機器１０ａ〜１０ｄの操作を行うことが可能になる。
【００７０】
なお、上記に示す複数の照明機器の管理を行う管理システムは、照明機器に限られず、表示機器や音響機器などの電気機器にも活用することができる。
【００７１】
＜効果等＞
本実施の形態に係る電気機器管理システム１００では、建物５０に設置された複数の電気機器１０と、複数の電気機器１０のそれぞれと通信する管理装置３０と、複数の電気機器１０のそれぞれと通信する操作端末とを備える電気機器管理システム１００であって、操作端末２０は、複数の電気機器１０のそれぞれに個別に割り当てられる管理アドレス情報を、指向性を有する無線を用いて、複数の電気機器１０のそれぞれに個別に送信し、複数の電気機器１０のそれぞれは、自身の固有アドレスを有し、操作端末２０から送信された管理アドレス情報を記憶し、かつ、固有アドレスおよび管理アドレス情報を送信し、管理装置３０は、送信された固有アドレスおよび管理アドレス情報を対応づけて記憶し、記憶した固有アドレスおよび管理アドレス情報に基づいて、複数の電気機器１０の動作を制御する。
【００７２】
このように指向性を有する無線を用いて、電気機器１０に管理アドレス情報を送信することで、操作端末２０を用いて電気機器１０のそれぞれ１台ごとにアドレス設定を行うことができる。これにより、アドレス設定が容易になり、複数の電気機器１０の管理を容易に行うことができる。
【００７３】
また、複数の電気機器１０のそれぞれは、固有アドレスおよび管理アドレス情報を管理装置３０に送信し、操作端末２０は、管理装置３０と通信することで、管理アドレス情報に対応する固有アドレスを取得してもよい。
【００７４】
これによれば、操作端末２０と管理装置３０との間で、管理アドレス情報と電気機器１０の固有アドレスを共有することができる。これらの情報を共有することで、例えば表示部２２において、管理アドレス情報および電気機器１０の固有アドレスを整理し視覚化することができる。その結果、操作端末２０において、電気機器１０の動作状態を容易に確認し、管理することができる。
【００７５】
また、管理アドレス情報は、複数の電気機器１０のそれぞれを区別するための管理アドレス、建物５０における複数の電気機器１０のそれぞれの位置、および、複数の電気機器１０のそれぞれが所属するグループに関する情報を含んでいてもよい。
【００７６】
これによれば、管理装置３０にて、複数の電気機器１０の位置およびグループが把握されることになるので、電気機器１０をその位置に応じて、または、グループに応じて動作制御することが可能になる。
【００７７】
また、操作端末２０は、管理アドレス情報を赤外線を用いて送信し、複数の電気機器１０のそれぞれは、赤外線を用いて送信された管理アドレス情報を受信してもよい。
【００７８】
このように赤外線を用いることで、操作端末２０から対象とする電気機器１０に、個別にアドレス情報を送信することができる。これにより、ブロードキャスト的な無線通信方式とは異なり、個別に必要な情報を送信することができる。
【００７９】
また、指向性を有する無線は、赤外線であり、複数の電気機器１０のそれぞれは、赤外線を用いて送信された管理アドレス情報を受信する赤外線受信部１２を有していてもよい。
【００８０】
これによれば、電気機器１０のそれぞれが赤外線受信部１２を有しているので、赤外線を用いて個別にアドレス情報を受信することができる。
【００８１】
また、複数の電気機器１０の少なくとも一部は、照明機器１０ａ〜１０ｄであってもよい。
【００８２】
これによれば、照明機器１０ａ〜１０ｄの管理を容易に行うことができる。また、照明機器、表示機器および音響機器をコラボレーションさせて使用する場合は、これら照明機器、表示機器および音響機器を総合的に管理し、動作制御することも可能となる。
【００８３】
（実施の形態２）
実施の形態２に係る電気機器管理システム１００は、実施の形態１とは、アドレス設定のルートが一部異なる。具体的には、照明機器１０ａ〜１０ｄから管理装置３０に管理アドレス情報および固有アドレスを伝達するのでなく、操作端末２０から管理装置３０に管理アドレス情報および固有アドレスを伝達する。
【００８４】
図１２は、操作端末２０および、照明機器１０ａ〜１０ｄのアドレス設定を説明するフローチャートである。
【００８５】
まず、操作端末２０を照明機器１０ａの近くに移動させ、赤外線通信ｉｃを用いて、操作端末２０から照明機器１０ａに個別に管理アドレス情報を送信する（Ｓ３１）。
【００８６】
照明機器１０ａは、送信された管理アドレス情報を受信する。照明機器１０ａの制御部１３には、固有アドレスに対応した管理アドレス情報が記憶される（Ｓ３２）。
【００８７】
管理アドレス情報を受信した照明機器１０ａは、無線ｒ１を用いて、自身の固有アドレスと管理アドレス情報を操作端末２０に送信する（Ｓ３３）。
【００８８】
操作端末２０は、送信された固有アドレスを受信し、制御部２３に記憶する（Ｓ３４）。これにより、操作端末２０において、管理アドレス０１に関する管理アドレス情報と照明機器１０ａの固有アドレスとが対応づけられる。
【００８９】
そして、これらのステップＳ３１〜Ｓ３４を、アドレス未設定の照明機器１０ｂ〜１０ｄに対して個別に実行する。
【００９０】
これらの過程により、照明機器１０ａ〜１０ｄに管理アドレス情報がそれぞれ記憶される。また、管理アドレス情報は、操作端末２０において、照明機器１０ａ〜１０ｄの固有アドレスと対応づけられ、管理表２３ａに書き込まれる。操作端末２０を持った使用者は、照明機器１０ａ〜１０ｄのそばを順に移動しながら１台ずつアドレス設定を行えばよいので、容易にまた確実に、照明機器１０ａ〜１０ｄに管理アドレス情報を付与することができる。
【００９１】
また、操作端末２０の表示部２２では、アイコン０１〜０４と管理アドレス０１〜０４に関する管理アドレス情報とが対応づけて表示される。これにより、表示部２２において、照明機器１０ａ〜１０ｄの管理アドレス、位置、グループおよび固有アドレスが整理された状態で視覚化される。
【００９２】
次に、管理装置３０と操作端末２０との間において、管理アドレス情報および固有アドレスを共有する過程について説明する。
【００９３】
図１３は、操作端末２０および管理装置３０のアドレス設定を説明するフローチャートである。
【００９４】
まず、管理装置３０に無線ｒ３がとどく距離に、操作端末２０を移動させる。そして、操作端末２０から管理装置３０に対して、管理アドレス情報および固有アドレスの全情報を対応づけて送信する（Ｓ４１）。
【００９５】
管理装置３０は、送信された管理アドレス情報および固有アドレスを受信し、制御部３３に記憶する（Ｓ４２）。これらにより、管理装置３０において、図９と同様な管理表３３ａが記憶される。管理装置３０は、記憶された管理アドレス情報と固有アドレスとを基に、照明機器１０ａ〜１０ｄの動作を制御することが可能になる。
【００９６】
なお、上記に示す複数の照明機器の管理を行う管理システムは、照明機器に限られず、表示機器や音響機器などの電気機器にも活用することができる。
【００９７】
本実施の形態に係る電気機器管理システム１００によれば、複数の電気機器１０のそれぞれは、固有アドレスおよび管理アドレス情報を操作端末２０に送信し、操作端末２０は、複数の電気機器１０から送信された固有アドレスを管理アドレス情報に対応づけて記憶し、記憶した固有アドレスおよび管理アドレス情報を管理装置３０に送信する。
【００９８】
これによれば、操作端末２０と管理装置３０との間で、管理アドレス情報と電気機器１０の固有アドレスを共有することができる。これらの情報を共有することで、例えば表示部２２において、管理アドレス情報および電気機器１０の固有アドレスを、電気機器１台ごとに早期に確認することができる。
【００９９】
＜その他＞
以上、電気機器管理システム１００について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１００】
例えば、アドレス設定をする際に、管理装置３０が、操作端末２０と照明機器１０ａ〜１０ｄとをペアリングさせるためのペアリング用アドレスを各照明機器１０ａ〜１０ｄに送信し、操作端末２０と照明機器１０ａ〜１０ｄとが、アドレス設定と同時にペアリングも行うようにしてもよい。
【符号の説明】
【０１０１】
１０    電気機器
１０ａ、１０ｂ、１０ｃ、１０ｄ  照明機器
１２    赤外線受信部
２０    操作端末
３０    管理装置
５０    建物
１００  電気機器管理システム
ｉｃ    赤外線通信（指向性を有する無線）
ｒ１、ｒ２、ｒ３  無線
【図１】
0006650617.tif 000002
【図２】
0006650617.tif 000003
【図３】
0006650617.tif 000004
【図４】
0006650617.tif 000005
【図５】
0006650617.tif 000006
【図６】
0006650617.tif 000007
【図７】
0006650617.tif 000008
【図８】
0006650617.tif 000009
【図９】
0006650617.tif 000010
【図１０】
0006650617.tif 000011
【図１１】
0006650617.tif 000012
【図１２】
0006650617.tif 000013
【図１３】
0006650617.tif 000014